(57)【特許請求の範囲】
【請求項１】
枠体と、第１ケースの内部に配設されたスライド可能な操作部材を、ロック状態、または非ロック状態に保持することによりＯＮ／ＯＦＦ操作が可能なＡＣ回路用スイッチと、前記操作部材のスライドに連動してＯＮ／ＯＦＦ操作が可能な第２ケースの内部に配設されたＤＣ回路用スイッチと、前記操作部材をスライド移動させることができる駆動源とを備え、前記枠体は、幅広の第１取付部と、幅狭の第２取付部とを有し、前記幅広の第１取付部に前記ＡＣ回路用スイッチと前記駆動源とを並設すると共に、前記幅狭の第２取付部に前記ＤＣスイッチを取り付けし、前記枠体の前記第１取付部に、前記ＡＣ回路用スイッチの前方側を係止する第１係合部を設け、前記第２取付部に前記ＡＣ回路用スイッチの後方側を掛け止めする掛け止め部を設け、前記第１係合部と前記掛け止め部とで前記ＡＣ回路用スイッチを取り付けるようにして、前記ＡＣ回路用スイッチと、前記ＤＣ回路用スイッチと、前記駆動源とを前記枠体に一体化して取り付けたことを特徴とするスイッチ装置。
【請求項２】
前記ＡＣ回路スイッチは、前記第１ケースに取り付けられて前記第１ケースに形成された解放部を蓋閉する蓋体を有し、この蓋体は、前記第１ケースの前方側からはみ出して設けた前方係止部と、前記第１ケースの後方側からはみ出して設けた後方係止部とを有し、前記前方係止部を前記枠体の前記第１係合部に係止し、また、前記後方係止部を前記掛け止め部に挿入して掛け止めして、前記ＡＣ回路用スイッチを前記枠体に取り付けるようにしたことを特徴とする請求項１記載のスイッチ装置。
【請求項３】
前記ＤＣ回路用スイッチは、前記第２ケースの側壁から突出する突部を有し、前記枠体は前記第２取付部に第２係合部を形成し、前記突部を前記第２係合部に係止して、前記ＤＣ回路用スイッチを前記枠体に取り付けるようにしたことを特徴とする請求項１、または２記載のスイッチ装置。
【請求項４】
枠体と、ケースの内部に配設されたスライド可能な操作部材を、ロック状態、または非ロック状態に保持することによりＯＮ／ＯＦＦ操作が可能なＡＣ回路用スイッチと、前記操作部材をスライド移動させることができる駆動源とを備え、前記ＡＣ回路用スイッチは、前記ケースに取り付けられて前記ケースに形成された解放部を蓋閉する蓋体を有し、この蓋体は、前記ケースの前方側からはみ出して設けた前方係止部と、前記ケースの後方側からはみ出して設けた後方係止部とを有し、前記枠体の後方側には、掛け止め部を有する折り曲げ部を設け、前記掛け止め部に前記蓋体の前記後方係止部を掛け止めして前記ＡＣ回路用スイッチを取り付けるようにして、前記ＡＣ回路用スイッチと前記駆動源とを前記枠体に一体化して取り付けたことを特徴とするスイッチ装置。
【発明の詳細な説明】
【０００１】
【発明の属する技術分野】
本発明は、テレビ、モニター等電子機器の電源スイッチに好適なスイッチ装置に係わり、特にオートＯＦＦ機能を有するスイッチ装置に関する。
【０００２】
【従来の技術】
従来のスイッチ装置を図１３、１４を基に説明する。まず、従来のスイッチ装置は、第１の枠体２０が配設されており、この第１の枠体２０にはＡＣスイッチ部２０ａ、およびソレノイド部２０ｂが併設されている。  また、第１の枠体２０のＡＣスイッチ部２０ａの図示上部に第１カシメ部２０ｃと図示下部寄りのＡＣスイッチ部２１ａとソレノイド部２０ｂとの間に開口部２０ｄが形成され、この開口部２０ｄに一対の第２カシメ部２０ｅが形成されている。また、第１の枠体２０の図示左側下方には突き出し形成された凸部２０ｆが設けられている。
前記第１と第２のカシメ部２０ｃ、２０ｅにケース２１ａがカシメ付けられて、第１の枠体２０にＡＣスイッチ２１が取り付けられている。
【０００３】
また、ソレノイド部２０ｂにはコイル２２ａとプランジャ２２ｂとから成るソレノイド２２が取り付けられている。
前記ＡＣスイッチ部２０ａの図示右側には、第１の枠体２０とは別体の第２の枠体２３が配設されている。この第２の枠体２３の図示左側の幅広部２３ａに第１カシメ部２３ｂが形成され、図示右側の幅狭部２３ｃに第２カシメ部２３ｄが形成されている。
この第２のカシメ部２３ｄには、ＤＣスイッチ２４がカシメ付けられて取り付けられている。
そして、第１カシメ部２３ｂをＡＣスイッチ２１のケース２１ａを抱き込むようにカシメ付けることによって、ＡＣスイッチ２１とＤＣスイッチ２４とが一体化されている。また、第２の枠体２３の第２カシメ部２３ｄには、図１３に示すように、ＤＣスイッチ２４がカシメ付けられて、第２の枠体２３にＤＣスイッチ２４が取り付けられている。そして、ＡＣスイッチ２１、ソレノイド２２、ＤＣスイッチ２４が一体化されている。
いる。
【０００４】
前記ＡＣスイッチ２１のケース２１ａの内部には、ＡＣスイッチ２１、およびＤＣスイッチ２４のスイッチをＯＮ／ＯＦＦ操作することができる操作部材２５が配設され、この操作部材２５に一体形成された操作軸２５ａが、第１の枠体２０から図示左側に突出形成されている。
前記操作部材２５は、常時矢印Ａ方向に弾性付勢されており、この弾性力に抗して操作部材２５を矢印Ｂ方向に押圧すると、操作部材２５がロック部材（図示せず）でロックされてロック状態になると共に、ＡＣスイッチ２１、およびＤＣスイッチ２４のスイッチが共にＯＮされるようになっている。
また、前記操作部材２５は、前記ロック状態から非ロック状態に操作されると、操作軸２５ａが最も図示左側に位置した初期状態においては、ＡＣスイッチ２１、およびＤＣスイッチ２４のスイッチが共にＯＦＦされるようになっている。
【０００５】
また、ソレノイド２２のプランジャ２２ｂ先端には、駆動部材２６の一端部が係合されており、駆動部材２６の他端部（図示せず）は、第１の枠体２０に覆われた操作部材２５の一部に形成されたカム部（図示せず）に位置し、駆動部材２６は、凸部２０ｆを回動中心として回動自在に第１の枠体２０に取り付けられている。
そして、初期状態で非ロック状態の操作軸２５ａを矢印Ｂ方向に押圧すると、ＡＣスイッチ２０ａ、およびＤＣスイッチ２４のスイッチがＯＮされると共に、操作部材２５４の動きが規制されてロック状態になる。
【０００６】
このロック状態の操作部材２５のロックを解除するには、ソレノイド２２を駆動させて、プランジャ２２ａを矢印Ｂ方向に吸引する動作で、駆動部材２６が回動し、駆動部材２６の他端部がロック状態のロック部材（図示せず）を移動させることによって、ロック状態の操作部材２５のロック解除を行うことができる。
このロック解除で操作部材２５は、非ロック状態になり、図示しない弾性部材の弾性力で矢印Ａ方向の初期状態にに自動復帰し、ＡＣスイッチ２１とＤＣスイッチ２４とのスイッチが共にＯＦＦされるようになっている。
【０００７】
【発明が解決しようとする課題】
前述したような従来のスイッチ装置は、第１と第２の枠体２０、２３が別々であったために、ＡＣスイッチ２１とＤＣスイッチ２４とを、それぞれ別々に取り付けなければならなかった。また、ＤＣスイッチ２４を取り付けた第２の枠体２３をＡＣスイッチ２１のケース２１ａにカシメ付けなければならなかったので、従来のスイッチ装置は組立に時間が掛かり、組立作業性が悪くなっていた。
また、ＡＣスイッチ２１を有するケース２１ａを第１の枠体２０にカシメ付けるために、第１の枠体２０に開口部２０ｄを形成していたので、この開口部２０ｄからのゴミ等が侵入する問題があった。
本発明は、上記課題を解決して、組立作業性がよく、且つ内部にゴミ等が侵入しないスイッチ装置を提供することを目的とする。
【０００８】
【課題を解決するための手段】
前記課題を解決するための第１の解決手段として本発明のスイッチ装置は、枠体と、第１ケースの内部に配設されたスライド可能な操作部材を、ロック状態、または非ロック状態に保持することによりＯＮ／ＯＦＦ操作が可能なＡＣ回路用スイッチと、前記操作部材のスライドに連動してＯＮ／ＯＦＦ操作が可能な第２ケースの内部に配設されたＤＣ回路用スイッチと、前記操作部材をスライド移動させることができる駆動源とを備え、前記枠体は、幅広の第１取付部と、幅狭の第２取付部とを有し、前記幅広の第１取付部に前記ＡＣ回路用スイッチと前記駆動源とを並設すると共に、前記幅狭の第２取付部に前記ＤＣスイッチを取り付けし、前記枠体の前記第１取付部に、前記ＡＣ回路用スイッチの前方側を係止する第１係合部を設け、前記第２取付部に前記ＡＣ回路用スイッチの後方側を掛け止めする掛け止め部を設け、前記第１係合部と前記掛け止め部とで前記ＡＣ回路用スイッチを取り付けるようにして、前記ＡＣ回路用スイッチと、前記ＤＣ回路用スイッチと、前記駆動源とを前記枠体に一体化して取り付けた構成とした。
【０００９】
また、前記課題を解決するための第２の解決手段として、前記ＡＣ回路スイッチは、前記第１ケースに取り付けられて前記第１ケースに形成された解放部を蓋閉する蓋体を有し、この蓋体は、前記第１ケースの前方側からはみ出して設けた前方係止部と、前記第１ケースの後方側からはみ出して設けた後方係止部とを有し、前記前方係止部を前記枠体の前記第１係合部に係止し、また、前記後方係止部を前記掛け止め部に挿入して掛け止めして、前記ＡＣ回路用スイッチを前記枠体に取り付けるような構成とした。
【００１０】
また、前記課題を解決するための第３の解決手段として、前記ＤＣ回路用スイッチは、前記第２ケースの側壁から突出する突部を有し、前記枠体は前記第２取付部に第２係合部を形成し、前記突部を前記第２係合部に係止して、前記ＤＣ回路用スイッチを前記枠体に取り付けるような構成とした。
【００１１】
また、前記課題を解決するための第４の解決手段として、枠体と、ケースの内部に配設されたスライド可能な操作部材を、ロック状態、または非ロック状態に保持することによりＯＮ／ＯＦＦ操作が可能なＡＣ回路用スイッチと、前記操作部材をスライド移動させることができる駆動源とを備え、前記ＡＣ回路用スイッチは、前記ケースに取り付けられて前記ケースに形成された解放部を蓋閉する蓋体を有し、この蓋体は、前記ケースの前方側からはみ出して設けた前方係止部と、前記ケースの後方側からはみ出して設けた後方係止部とを有し、前記枠体の後方側には、掛け止め部を有する折り曲げ部を設け、前記掛け止め部に前記蓋体の前記後方係止部を掛け止めして前記ＡＣ回路用スイッチを取り付けるようにして、前記ＡＣ回路用スイッチと前記駆動源とを前記枠体に一体化して取り付けた構成とした。
【００１５】
【発明の実施の形態】
以下に、本発明におけるスイッチ装置の実施の形態について図面に基づいて説明する。図１は本発明の第１の実施の形態のスイッチ装置を示す上面図であり、図２はその正面図であり、図３は本発明の第１の実施の形態に係わる枠体の左側面図であり、図４はその上面図であり、図５はその正面図であり、図６は本発明の第１の実施の形態に係わるＡＣ回路用スイッチの上面図であり、図７はその正面明であり、図８はＡＣ回路用スイッチの蓋体の取り付け構造を説明する要部斜視図であり、図９は駆動源とＤＣ回路用スイッチとを取り付けた枠体の下面図であり、図１０〜図１２は本発明に係わる第２に実施の形態を説明する図面である。
【００１６】
本発明の第１の実施の形態のスイッチ装置Ｓ１は、図１、図２に示すように、プレス等によって打ち抜き加工された金属板から成る枠体１が上部に配設されている。この枠体１は図３〜図５に示すように、幅広の第１取付部１ａと幅狭の第２取付部１ｂとを有し、第１と第２の取付部１ａ、１ｂの間に連結部１ｃが形成されている。
前記幅広の第１取付部１ａには、後述するＡＣ回路用スイッチ６を取り付けるためのＡＣスイッチ部２と、後述する駆動源１２を取り付けるための駆動源取付部４とが並併されている。
【００１７】
前記幅狭の第２取付部１ｂには、後述するＤＣ回路用スイッチ１０を取り付けるためのＤＣスイッチ部３が設けられている。
前記ＡＣスイッチ部２には、一部が所定の高さで平坦状に突出形成された段差部２ａを有し、この段差部２ａには、所定寸法で下方に突き出し形成された凸部２ｂが設けられている。
また、図４に示すＡＣスイッチ部２の前方側である左側の図示上下２箇所には、舌片状の第１カシメ部２ｃ、２ｃが形成され、この第１カシメ部２ｃ、２ｃは、寸法Ｊの間隔を有し、図５に示すように下方側に折り曲げられて形成されている。
前記寸法Ｊの第１カシメ部２ｃ、２ｃの間隔に第１係合部２ｇが形成されている。この第１係合部２ｇに、後述する蓋体９の前方係止部９ｄを係合させて係止するようになっている。
前記ＡＣスイッチ部２の表面には、下方に突き出しされた一対の凸部２ｄと、上方に突き出しされた一対の凸部２ｅと、この凸部２ｄと前記凸部２ｅとの間に、一対の位置決め孔２ｆ、２ｆが貫通形成されている。
【００１８】
前記枠体１は、図４に示すように、第２取付部１ｂにＤＣスイッチ部３が形成され、このＤＣスイッチ部３は、寸法Ｃの間隔を有する一対の側板３ｂ、３ｂが折り曲げられて、門型状に形成されている。
前記一対の側板３ｂには、舌片状の第２カシメ部３ｃ、３ｃがそれぞれ形成され、この第２カシメ部３ｃ、３ｃ間に、後述するＤＣケース１１を係止するための第２係合部３ｄが形成されている。
前記枠体１の第２取付部１ｂは、連結部１ｃを残して２点鎖線で示す切断線１ｄから切断できるようになっている。
前記第２取付部１ｂは、側板３ｂと連結部１ｃとが交わる部分に、後述するＡＣ回路用スイッチ５の後方部を掛け止めするための掛け止め部３ｅが、切り欠き形成されている。この掛け止め部３ｅは、連結部１ｃの下面との間に寸法Ｄの隙間を有して形成されている。この寸法Ｄの隙間は、後述する蓋体９の板厚寸法より若干プラス側に形成されている。
【００１９】
また、駆動源取付部４は、図４に示すように、前方に前側板４ａと、後方に後側板４ｂと、図示上部に側板４ｃとが折り曲げ形成されている。
前記前側板４ａには、図３に示すように、略半円状に切り欠きされた、後述するソレノイドから成る駆動源１２のプランジャ１２ｂを逃げるためのプランジャ逃げ部４ｄが形成されている。
前記枠体１に形成された第１カシメ部２ｃ、２ｃ、側板３ｂ、３ｂ、前側板４ｂ、後側板４ｃ、側板４ｄは、それぞれ図５に示すように図示下方の同方向にそれぞれ折り曲げられている。
前記枠体１のＡＣスイッチ部２に取り付ける、ＡＣ回路用スイッチ５を図６〜図８に基づいて説明する。まず、図７に示す第１ケース６は、樹脂材料らから成り、内部に上方が解放された解放部（図示せず）が形成されて配設されている。
【００２０】
前記第１ケース６は、解放部の内部に複数の接点部等から成るスイッチ（図示せず）を有する本体部６ａが形成され、この本体部６ａから図７に示す左側に、後述する操作部材７のスライド移動をガイドするガイド部６ｂが突出形成されている。このガイド部６ｂの外側面には、図示下方に凹部６ｃが形成されている。この凹部６ｃは図６に示すように、３角形状に彫り込み形成されている。
前記第１ケース６には、内部のスイッチをＯＮ／ＯＦＦ操作することができる、矢印Ｅ、Ｆ方向にスライド可能な操作部材７が配設されている。
前記操作部材７には、第１ケース６から外部に突出する操作軸７ａが形成され、この操作軸７ａ内部に、操作部材７を常に矢印Ｅ方向に弾性付勢する弾性部材（図示せず）が内装されている。
前記操作部材７は、図６に示すように、後述する蓋体９の開口部９ａが位置する部分に、カム凹部７ｂが所定の深さで形成され、このカム凹部７ｂにロック部材８が位置するようになっている。
【００２１】
前記操作軸７ａを弾性部材（図示せず）の弾性力に抗して矢印Ｆ方向に押圧すると、ロック部材８がカム凹部７ｂ内を揺動して、カム凹部７ｂに形成されているロック壁（図示せず）に当接する。このロック部材８がロック壁に当接する事で、操作部材７がロック状態に係止されて矢印Ｅ方向の動きが規制されるようになっている。この操作部材７がロック状態に係止されると、内部のスイッチがＯＮされる。
前記ロック状態の操作部材７を矢印Ｆ方向に若干押圧すると、ロック部材８がロック壁（図示せず）から外れてカム凹部７ｂ内を揺動し、操作部材７のロック状態が解除されて、操作部材７は非ロック状態になる。この操作部材７が非ロック状態になると、弾性部材の作用で操作部材７が矢印Ｅ方向に移動して、内部のスイッチがＯＦＦされる。
即ち、本発明のスイッチ装置Ｓ２は、操作部材７を、ロック状態、または非ロック状態に保持することにより、ＯＮ／ＯＦＦ操作が可能なＡＣ回路用スイッチ５とＤＣ回路用スイッチ１０とが配設されている。
【００２２】
また、第１ケース６の上部には、第１ケース６に形成された解放部（図示せず）を蓋閉する金属板から成る蓋体９が配設されている。この蓋体９は、図６に示すように、左寄りに角形の開口部９ａが形成されて、下方の操作部材７のカム凹部７ｂが望めるようになっている。
前期開口部９ａの前方側（操作軸７ａ寄り）には、図示下方に折り曲げられた一対の基板取付部９ｂと前方カシメ部９ｃとが形成されている。また、図６に示す前方カシメ部９ｃの図示右側には、第１ケース６の本体部６ａの前方側からはみ出して設けられた幅寸法Ｇの前方係止部９ｄが形成されている。この前方係止部９ｄの幅寸法Ｇは、枠体１のＡＣスイッチ部２の第１カシメ部２ｃ、２ｃの寸法Ｊの隙間より若干小さい寸法で形成されている。
また、蓋体９には、円形と楕円状の２つの位置決め孔９ｅ、９ｆがそれぞれ貫通形成されている。
【００２３】
また、蓋体９の後方側である図示左側には、第１ケース６の後方側からはみ出して設けられた一対の後方係止部９ｇ、９ｇが、寸法Ｈの間隔を有して突出形成されている。前記一対の後方係止部９ｇ、９ｇが形成する寸法Ｈの間隔は、枠体１の寸法Ｃの間隔と同等か、それより小さい寸法で形成されている。
前記寸法Ｈの間隔が形成された部分には、図８に示すような、後方カシメ部９ｈが下方側に折り曲げられて設けられ、この後方カシメ部９ｈは、先端部が二股に分離されている。
また、蓋体９は、後方側に角孔状の操作孔９ｊが形成され、この操作孔９ｊに、後述するＤＣ回路用スイッチ１０の操作棒１０ａが挿入されるようになっている。
このような構成の蓋体９を第１ケース６に取り付けるには、第１ケース６の上方から蓋体９をかぶせ、その後、図６に示すように、前方カシメ部９ｃを第１ケース６の凹部６ｃ内に折り曲げると共に、図８に示すように、第１ケース６の後部に形成した膨出部６ｄ、６ｄ間に挿入した後方カシメ部９ｈの二股状の先端部を外側に広げることにより、蓋体９を第１ケース６に取り付けるようになっている。
【００２４】
また、枠体１の第２取付部１ｂのＤＣスイッチ部３には、ＤＣ回路用スイッチ１０が取り付けられている。このＤＣ回路用スイッチ１０は、樹脂材料から成る第２ケース１１を有し、図９に示すように、第２ケース１１の側壁１１ａから突部１１ｂが突出形成されている。
また、ＤＣ回路用スイッチ１０からは、図９に示す左側の前方方向に操作棒１０ａが突出して配設されている。この操作棒１０ａは、操作部材７の後方端部に弾接するようになっており、操作部材７のスライド移動に連動して回動して、ＤＣ回路用スイッチ１０内部のスイッチ（図示せず）をＯＮ／ＯＦＦ操作できるようになっている。
前記ＤＣ回路用スイッチ１０を枠体１に取り付けるには、門型の側板３ｂ、３ｂ間に第２ケース１１を位置させると共に、突部１１ｂを第２係合部３ｄに位置させて、第２カシメ部３ｃ、３ｃをカシメ付けることにより、突部１１ｂを第２係合部３ｄに係止して、ＤＣスイッチ部３を枠体１に取り付けるようになっている。
【００２５】
また、枠体１の第１取付部１ａの駆動源取付部４には、スイッチ装置Ｓ１をオートＯＦＦ駆動させるためのソレノイド等から成る駆動源１２が取り付けられている。この駆動源１２は図９に示すように、コイル１２ａとプランジャ１２ｂとから成り、コイル１２ａが、枠体１の前側板４ａと後側板４ｂとに狭持されて抜け止めされ、駆動源１２が枠体１の駆動源取付部４に取り付けられている。
そして、コイル１２ａが初期状態の非励磁状態から通電されて励磁状態になると、プランジャ１２ｂが所定の吸引力で矢印Ｐ方向に吸引されるようになっている。
【００２６】
前記プランジャ１２ｂの先端には駆動部材１３が係合されている。この駆動部材１３は、一端部にプランジャ１２ｂに係合する係合部１３ａを有し、他端部に２つの斜面を組み合わせたカム面１３ｂと、前記係合部１３ａとカム面１２ｂとの間に支持孔１３ｃが形成されている。そして、駆動部材１３は、係合部１２ａをプランジャ１２ｂの先端に係合させ、支持孔１３ｃを枠体１の凸部２ｂに挿入し、支持孔１３ｃを中心として回動可能に枠体１に取り付けられている。
そのために、プランジャ１２ｂの矢印Ｐ方向への吸引動作に連動して、駆動部材１３のカム面１３ｂが回動するようになっている。
【００２７】
このような本発明のスイッチ装置Ｓ１の組立は、図９に示すように、駆動源１２と、駆動部材１３とを取り付けた枠体１を組立治具（図示せず）に載置する。
このとき、組立治具の位置決めピン（図示せず）に、位置決め孔２ｆ、２ｆを挿入することによって、枠体１を組立治具に位置決めできるようになっている。
次に、蓋体１のＤＣスイッチ部３にＤＣ回路用スイッチ１０の一対の突部１１ｂを第２係止部３ｄに位置させて、ＤＣ回路用スイッチ１０を枠体１に載置する。  その後、ＡＣ回路用スイッチ５の後方係止部９ｇ、９ｇを第２取付部１ｂの掛け止め部３ｅに挿入して掛け止めした状態で、ＡＣ回路用スイッチ５をＡＣスイッチ部２に載置する。
【００２８】
前記枠体１にＡＣ回路用スイッチ５を載置するときは、蓋体９の位置決め孔９ｅ、９ｆを、ＡＣスイッチ部２の凸部２ｄ、２ｄに挿入する事により、ＡＣ回路用スイッチ５が蓋体１に位置決めされるようになっている。このときＤＣ回路用スイッチ１０から前方側に突出する操作棒１０ａは、蓋体９の操作孔９ｊ内に位置するようになっている。
次に、図示しないカシメ治具で、第１カシメ部２ｃ、２ｃを寸法Ｊの間隔を狭めるようにカシメると共に、第２カシメ部３ｃ、３ｃを第２係合部３ｄの隙間を狭める方向にカシメると、駆動源１２を取り付けた枠体１に、ＡＣ回路用スイッチ５とＤＣ回路用スイッチ１０とを一体化させて取り付けることができる。
また、このように共通の枠体１にＤＣスイッチ回路用スイッチ１０とＡＣ回路用スイッチ５とを取り付ける構造としたので、両者間の位置決めを確実に行え、ＡＣ回路用スイッチ５の操作部材７を介して操作されるＤＣ回路用スッチ１０のＯＮ／ＯＦＦ切換えの精度を向上させることができる。
【００２９】
また、本発明の第２の実施の形態のスイッチ装置Ｓ２を図１０〜図１２に基づいて説明する。
本発明のスイッチ装置Ｓ２と、第１の実施の形態で説明したスイッチ装置Ｓ１と異なる点は、図１０に示すように、ＤＣ回路用スイッチ１０がないことである。
スイッチ装置Ｓ２の枠体１５は、第１の実施の形態で説明した枠体１（図４に示す）の２点鎖線で示す切断線１ｄから、ＤＣスイッチ部３を切断したものである。そのために、第１の実施の形態の枠体１で説明したものと同じものについては同じ番号を付して、その説明は省略する。
まず、枠体１５は図１１、１２に示すように、枠体１からＤＣスイッチ部３が切断されて、後方側に連結部１５ｃを有し、この連結部１５ｃが第１カシメ部２ｃと同方向に折り曲げられて折り曲げ部２ｈが形成されている。この折り曲げ部２ｈは、図示上下の両側に掛け止め部２ｊ、２ｊが形成され、この掛け止め部２ｊの端面と連結部１ｃの下面との間に寸法Ｄの隙間を有している。
【００３０】
即ち、本発明のスイッチ装置Ｓ２は、図１０に示すように、枠体１５と、第１ケース６の内部に配設されたスライド可能な操作部材７を、ロック状態、または非ロック状態に保持することによりＯＮ／ＯＦＦ操作が可能なＡＣ回路用スイッチ５と、操作部材７をスライド移動させることができる駆動源１２とを備え、枠体１５にＡＣ回路用スイッチ５と駆動源１２とを隣り合わせて取り付けるようにしたものである。
【００３１】
また、ＡＣ回路スイッチ５は、第１ケース６に取り付けられて第１ケース６に形成された解放部（図示せず）を蓋閉する蓋体９を有し、この蓋体９は、第１ケース６の前方側からはみ出して設けた前方係止部９ｄと、第１ケース６の後方側からはみ出して設けた後方係止部９ｇとを有し、枠体１５のの後方側には、掛け止め部２ｊを有する折り曲げ部２ｈを設け、掛け止め部２ｊに蓋体９の後方係止部９ｇを掛け止めしてＡＣ回路用スイッチ５を取り付けるようにしたものである。
【００３２】
【発明の効果】
本発明のスイッチ装置は、ＡＣ回路用スイッチと、ＤＣ回路用スイッチと、駆動源とを共通の枠体に一体化して取り付けるようにしたので、組立治具による一回のカシメ行程でＡＣ回路用スイッチとＤＣ回路用スイッチとを枠体にカシメ付けることができ、組立性のよいスイッチ装置を提供できる。
また、枠体には開口部がないので、スイッチ装置内部へのゴミ等の進入を防止することができる。
更に、ＡＣ回路用スイッチとＤＣ回路用スイッチとを共通の枠体で保持する構造のため、ＡＣ回路用スイッチのＯＮ／ＯＦＦの切換えに対する、ＤＣ回路用スイッチのＯＮ／ＯＦＦの切換え精度を高精度に組み立てることが可能になる。
【００３３】
また、枠体は、幅広の第１取付部と、幅狭の第２取付部とを有し、前記幅広の第１取付部にＡＣ回路用スッチと前記駆動源とを並設し、前記幅狭の第２取付部に前記ＤＣ回路用スイッチを取り付けるようにしたので、駆動源を駆動させて、ＡＣ回路用スイッチとＤＣ回路用スイッチとのＯＮ／ＯＦＦ操作を容易に行うことができる。
【００３４】
また、前期枠体の前記第１取付部は、前記ＡＣ回路用スイッチの前方側を係止する第１係合部と、前記第２取付部は前記ＡＣ回路用スイッチの前記後方側を掛け止めする掛け止め部を有し、前記第１係止部と前記掛け止め部とで前記ＡＣ回路用スイッチを取り付けるようにしたので、枠体へのＡＣ回路用スイッチの取り付けは、第１係合部の第１カシメ部をカシメるだけで取り付けることができ、組立性がよい。
【００３５】
また、前記ＡＣ回路スイッチは、前記第１ケースに取り付けられて前記第１ケースに形成された解放部を蓋閉する蓋体を有し、この蓋体は、前記第１ケースの前方側からはみ出して設けた前方係止部と、前記第１ケースの後方側からはみ出して設けた後方係止部とを有し、前記前方係止部を前記枠体の前記第１係合部に係止し、また、前記後方係止部を前記掛け止め部に挿入して掛け止めして、前記ＡＣ回路用スイッチを前記枠体に取り付けるようにしたので、組立性のよいスイッチ装置を提供できる。
【００３６】
また、前記ＤＣ回路用スイッチは、前記第２ケースの側壁から突出する突部を有し、前記枠体は前記第２取付部に第２係合部を形成し、前記突部を前記第２係合部に係止して、前記ＤＣ回路用スイッチを前記枠体に取り付けるようにしたので、枠体にＤＣ回路用スイッチを取り付けるには、第２係合部を形成する第２カシメ部をカシメるだけでよく組立性がよい。
【００３７】
また、枠体と、ケースの内部に配設されたスライド可能な操作部材を、ロック状態、または非ロック状態に保持することによりＯＮ／ＯＦＦ操作が可能なＡＣ回路用スイッチと、前記操作部材をスライド移動させることができる駆動源とを備え、前記枠体に前記ＡＣ回路用スイッチと前記駆動源とを隣り合わせて取り付けるようにしたので、駆動源とＡＣ回路用スイッチとを枠体に取り付けるだけでよく、組立性のよいスイッチ装置を提供できる。
また、枠体は第１の実施の形態で説明したものを使用し、ＤＣ回路用スイッチっを取り付けるための第２取り付け部を切断線から切断して使用することができ、高価な枠体の金型が１型で兼用することができ、低コストのスイッチ装置を提供できる。
【００３８】
また、前記ＡＣ回路スイッチは、前記ケースに取り付けられて前記ケースに形成された解放部を蓋閉する蓋体を有し、この蓋体は、前記ケースの前方側からはみ出して設けた前方係止部と、前記ケースの後方側からはみ出して設けた後方係止部とを有し、前記枠体の後方側には、掛け止め部を有する折り曲げ部を設け、前記掛け止め部に前記蓋体の前記後方係止部を掛け止めして前記ＡＣ回路用スイッチを取り付けるようにしたので、組立性のよいスイッチ装置を提供できる。
【図面の簡単な説明】
【図１】本発明の第１の実施の形態のスイッチ装置の上面図である。
【図２】本発明の第１の実施の形態のスイッチ装置の正面図である。
【図３】本発明の第１の実施の形態に係わる枠体の左側面図である。
【図４】本発明の第１の実施の形態に係わる枠体の上面図である。
【図５】本発明の第１の実施の形態に係わる枠体の正面図である。
【図６】本発明の第１の実施の形態に係わるＡＣ回路用スイッチの上面図である。
【図７】本発明の第１の実施の形態に係わるＡＣ回路用スイッチの正面図である。
【図８】本発明の第１の実施の形態に係わるＡＣ回路用スイッチの蓋体の取り付け構造を説明する要部斜視図である。
【図９】本発明の第１の実施の形態に係わる枠体に駆動源とＤＣ回路用スイッチとを取り付けた下面図である。
【図１０】本発明の第２に実施の形態のスイッチ装置の正面図である。
【図１１】本発明の第２に実施の形態に係わる枠体の正面図である。
【図１２】本発明の第２に実施の形態に係わる枠体の上面図である。従来のスイッチ装置の平面図である。
【図１３】従来のスッチ装置の上面図である。
【図１４】従来のスッチ装置の正面図である。
【符号の説明】
１  枠体
１ａ  第１取付部
１ｂ  第２取付部
１ｃ  連結部
２  ＡＣスイッチ部
２ａ  段差部
２ｂ  凸部
２ｃ  第１カシメ部
２ｇ  第１係合部
３  ＤＣスイッチ部
３ｂ  側板
３ｃ  第２カシメ部
３ｄ  第２係合部
３ｅ  掛け止め部
４  駆動源取付部
４ａ  前側板
４ｂ  後側板
４ｃ  側板
５  ＡＣ回路用スイッチ
６  第１ケース
６ａ  本体部
６ｄ  突部
７  操作部材
７ａ  操作軸
７ｂ  カム凹部
８  ロック部材
９  蓋体
９ａ  開口部
９ｄ  前方係止部
９ｇ  後方係止部
１０  ＤＣ回路用スッチ部
１０ａ  操作棒
１１  第２ケース
１１ａ  側壁
１１ｂ  突部
１２  駆動源
１２ａ  コイル
１２ｂ  プランジャ
１３  駆動部材
１３ａ  係合部
１３ｂ  カム面
１５  枠体（第２の実施の形態の）
【図１】
0003765934.tif 000002
【図２】
0003765934.tif 000003
【図３】
0003765934.tif 000004
【図４】
0003765934.tif 000005
【図５】
0003765934.tif 000006
【図６】
0003765934.tif 000007
【図７】
0003765934.tif 000008
【図８】
0003765934.tif 000009
【図９】
0003765934.tif 000010
【図１０】
0003765934.tif 000011
【図１１】
0003765934.tif 000012
【図１２】
0003765934.tif 000013
【図１３】
0003765934.tif 000014
【図１４】
0003765934.tif 000015